(57)【要約】【課題】送信機能における送信先の設定の操作性に感じる不快感を軽減することが出来る画像形成装置を提供することを目的とする。【解決手段】画像形成装置において、操作表示制御部は、操作部がワンタッチ送信先設定指示を受け付けると、その後に操作部が受け付けるワンタッチ送信先設定指示以外の操作指示を無効にし、宛先詳細情報取得要求をコントローラへ送信し、コントローラから宛先詳細情報有り通知を受信すると、宛先詳細情報有り通知に含まれる宛先情報を表示部に表示させ、その後にコントローラから宛先詳細情報を受信すると、当該宛先詳細情報を記憶し、ワンタッチ送信先設定指示を受け付けてから所定の時間が経過すると、記憶している宛先詳細情報に基づいて画面を表示部に更新させると共にワンタッチ送信先設定指示以外の操作指示を有効にする。【選択図】図１
2010147669.tif 000002
【特許請求の範囲】
【請求項１】
送信機能を有し、操作指示を受け付ける操作部と、所定の画面を表示する表示部と、前記操作部及び前記表示部を制御する操作表示制御部とから構成される操作表示部と、前記操作表示制御部へ制御信号を出力するコントローラとを備え、送信機能における送信先として設定される予め登録された宛先の詳細情報である宛先詳細情報を前記コントローラが記憶し、ワンタッチ操作によって予め登録された宛先を送信機能の送信先として設定するワンタッチ送信先設定指示を前記操作部が受け付けると、前記操作表示制御部は、ワンタッチ送信先設定指示に基づいて予め登録されている宛先を送信先として設定すると共に前記表示部に当該宛先を表示させる画像形成装置であって、
前記操作表示制御部は、前記操作部がワンタッチ送信先設定指示を受け付けると、その後に前記操作部が受け付けるワンタッチ送信先設定指示以外の操作指示を無効にし、宛先詳細情報取得要求を前記コントローラへ送信し、
前記コントローラは、前記宛先詳細情報取得要求を受信すると、該当する宛先詳細情報が存在している場合に、まず、該当する宛先詳細情報が有する宛先情報を含む宛先詳細情報有り通知を前記操作表示制御部へ送信し、その後に宛先詳細情報を送信し、
前記操作表示制御部は、前記宛先詳細情報有り通知を受信すると、前記宛先詳細情報有り通知に含まれる宛先情報を前記表示部に表示させ、その後に前記コントローラから宛先詳細情報を受信すると、当該宛先詳細情報を記憶し、前記ワンタッチ送信先設定指示を受け付けてから所定の時間が経過すると、記憶している宛先詳細情報に基づいて画面を前記表示部に更新させると共にワンタッチ送信先設定指示以外の操作指示を有効にすることを特徴とする画像形成装置。
【請求項２】
前記宛先情報は、宛先名及び宛先であることを特徴とする請求項１に記載の画像形成装置。
【発明の詳細な説明】
【技術分野】
【０００１】
本発明は、複写機及び複合機等の画像形成装置に関する。
【背景技術】
【０００２】
複合機等の画像形成装置では、ＣＰＵ（Central Processing Unit）を備えるコントローラによって、プリントエンジンによる画像形成処理、スキャンエンジンによる画像読取処理、操作表示部による画面表示処理、ファクシミリ送信／受信処理、インターネットファクシミリ送信／受信処理、電子メール送信処理、ＦＴＰ（File Transfer Protocol）送信処理及びＳＭＢ（Server Message Block）送信処理等のあらゆる処理が統括的に制御されている。そして、操作表示部は、タッチパネル等によって構成されており、コントローラとは別に、固有のＣＰＵを備えている。操作表示部のＣＰＵは、コントローラのＣＰＵとの間の通信に基づいて、操作表示部における画面表示処理及び操作指示入力処理等の処理を制御する。
【０００３】
また、操作表示部では、ファクシミリ送信、インターネットファクシミリ送信、電子メール送信、ＦＴＰ（File Transfer Protocol）送信及びＳＭＢ（Server Message Block）送信等の送信機能において、送信する度に同じ送信先を１文字ずつ入力する手間を省く為に、ワンタッチ送信先設定ボタンが用意されている。このワンタッチ送信先設定ボタンとは、タッチパネルが表示する操作ボタンであり、押下されると、ボタン毎に登録されているファクシミリ番号、電子メールアドレス等の宛先を送信先として設定することが出来るボタンである。ユーザは、このワンタッチ送信先設定ボタンを押下することによって、簡単に送信先を設定することが出来る。
【発明の開示】
【発明が解決しようとする課題】
【０００４】
ところで、上記従来技術では、操作表示部のワンタッチ送信先設定ボタンが押下されると、操作表示部のＣＰＵは、押下されたワンタッチ送信先設定ボタンに登録されている宛先の宛先詳細情報をコントローラへ要求し、コントローラから宛先詳細情報を全て受信して、宛先詳細情報に基づく画面の更新が完了するまで、操作キー（ハードキー）及びタッチパネルが表示する操作ボタンの押下を受け付けないようになっている。しかしながら、上記従来技術では、操作表示部が、コントローラから宛先詳細情報の全てを受信するまでに約１秒超かかる、すなわち操作キー及び操作ボタンの押下を約１秒超受け付けないようになっている為、ユーザは、操作表示部の操作性に不快感を感じてしまう
【０００５】
例えば、送信先として複数の宛先を設定する場合に、ユーザがワンタッチ送信先設定ボタンを連続的に押下したとしても、１件目の宛先を設定する為にワンタッチ送信先設定ボタンを押下した後に、２件目の宛先を設定する為にすぐ（約１秒以内）に次のワンタッチ送信先設定ボタンを押下しても、操作表示部は、次のワンタッチ送信先設定ボタンは押下を受け付けず、２件目の宛先を設定しない。なお、操作表示部が、宛先詳細情報の全てを受け取るまでに約１秒かかる理由は、コントローラが、ファクシミリ番号及び電子メールアドレス等の宛先と共に宛先毎の属性情報を宛先詳細情報として記憶しており、この宛先詳細情報の検索及び送信に多少時間が必要であるからである。
【０００６】
本発明は、上述した事情に鑑みてなされたものであり、送信機能における送信先の設定の操作性に感じる不快感を軽減することが出来る画像形成装置を提供することを目的とする。
【課題を解決するための手段】
【０００７】
上記目的を達成するために、本発明では、画像形成装置に係る第１の解決手段として、送信機能を有し、操作指示を受け付ける操作部と、所定の画面を表示する表示部と、前記操作部及び前記表示部を制御する操作表示制御部とから構成される操作表示部と、前記操作表示制御部へ制御信号を出力するコントローラとを備え、送信機能における送信先として設定される予め登録された宛先の詳細情報である宛先詳細情報を前記コントローラが記憶し、ワンタッチ操作によって予め登録された宛先を送信機能の送信先として設定するワンタッチ送信先設定指示を前記操作部が受け付けると、前記操作表示制御部は、ワンタッチ送信先設定指示に基づいて予め登録されている宛先を送信先として設定すると共に前記表示部に当該宛先を表示させる画像形成装置であって、前記操作表示制御部は、前記操作部がワンタッチ送信先設定指示を受け付けると、その後に前記操作部が受け付けるワンタッチ送信先設定指示以外の操作指示を無効にし、宛先詳細情報取得要求を前記コントローラへ送信し、前記コントローラは、前記宛先詳細情報取得要求を受信すると、該当する宛先詳細情報が存在している場合に、まず、該当する宛先詳細情報が有する宛先情報を含む宛先詳細情報有り通知を前記操作表示制御部へ送信し、その後に宛先詳細情報を送信し、前記操作表示制御部は、前記宛先詳細情報有り通知を受信すると、前記宛先詳細情報有り通知に含まれる宛先情報を前記表示部に表示させ、その後に前記コントローラから宛先詳細情報を受信すると、当該宛先詳細情報を記憶し、前記ワンタッチ送信先設定指示を受け付けてから所定の時間が経過すると、記憶している宛先詳細情報に基づいて画面を前記表示部に更新させると共にワンタッチ送信先設定指示以外の操作指示を有効にするするという手段を採用する。
【０００８】
本発明では、画像形成装置に係る第２の解決手段として、上記第１の解決手段において、前記宛先情報は、宛先名及び宛先であるという手段を採用する。
【発明の効果】
【０００９】
本発明によれば、画像形成装置において、操作表示制御部は、操作部がワンタッチ送信先設定指示を受け付けると、その後に操作部が受け付けるワンタッチ送信先設定指示以外の操作指示を無効にし、宛先詳細情報取得要求をコントローラへ送信し、コントローラは、宛先詳細情報取得要求を受信すると、該当する宛先詳細情報が存在している場合に、まず、該当する宛先詳細情報が有する宛先情報を含む宛先詳細情報有り通知を操作表示制御部へ送信し、その後に宛先詳細情報を送信し、操作表示制御部は、宛先詳細情報有り通知を受信すると、宛先詳細情報有り通知に含まれる宛先情報を表示部に表示させ、その後にコントローラから宛先詳細情報を受信すると、当該宛先詳細情報を記憶し、ワンタッチ送信先設定指示を受け付けてから所定の時間が経過すると、記憶している宛先詳細情報に基づいて画面を表示部に更新させると共にワンタッチ送信先設定指示以外の操作指示を有効にする。
【００１０】
従来のものでは、宛先詳細情報を受信し終わり、画面の更新が完了するまで、次のワンタッチ送信先設定指示を有効にしなかったが、本発明に係る画像形成装置では、ワンタッチ送信先設定指示を受け付けても、すぐに次のワンタッチ送信先設定指示受け付けることによって、ユーザはすぐに次の宛先を送信先に設定することが出来る為、送信先の設定の操作性に感じる不快感を軽減することが出来る。
【発明を実施するための最良の形態】
【００１１】
以下、図面を参照して、本発明の一実施形態について説明する。本実施形態は、本発明の画像形成装置の１つであるコピー機能、プリント機能、スキャン機能、ファクシミリ送信／受信機能、インターネットファクシミリ送信／受信機能、電子メール送信機能、ＦＴＰ（File Transfer Protocol）送信機能及びＳＭＢ（Server Message Block）送信機能を併せ持つ複合機に関する。
まず、複合機Ａの機能構成について、図１を参照して、説明する。図１は本実施形態に係る複合機Ａの機能ブロック図である。
複合機Ａは、コントローラ１、各種センサ群２、画像読取部３、画像データ記憶部４、用紙搬送／画像形成部５、通信Ｉ／Ｆ部６、操作表示部７を備えている。
【００１２】
コントローラ１は、複合機Ａの全体の動作を統括的に制御するものであり、ＣＰＵ(Central Processing Unit)１ａ、ＲＯＭ(Read Only Memory)１ｂ及びＲＡＭ(Random Access Memory)１ｃを備えている。ＣＰＵ１ａは、ＲＯＭ１ｂに記憶されている制御プログラム、各種センサ群２から受信する各種検出信号、画像データ記憶部４に記憶されている原稿画像データ、プリント画像データ及びファクシミリ画像データ、通信Ｉ／Ｆ部６を介してクライアントコンピュータ（図示略）並びに公衆網（図示略）から入力される各種指示及び操作表示部７から入力される操作指示に基づいて複合機Ａの全体動作を制御する。上記公衆網とは、公衆の電話網及び公衆のインターネット網である。
【００１３】
ＲＯＭ１ｂは、ＣＰＵ１ａによって実行される制御プログラム及びその他のデータを記憶する不揮発性メモリである。
ＲＡＭ１ｃは、ＣＰＵ１ａが制御プログラムを実行して各種動作を行う際に、データの一時保存先となるワーキングエリアとして用いられる揮発性メモリである。
【００１４】
宛先詳細情報記憶部１ｄは、例えばフラッシュメモリまたはハードディスクであり、複合機Ａの送信機能（ファクシミリ送信機能、インターネットファクシミリ送信機能、電子メール送信機能、ＦＴＰ送信及びＳＭＢ送信）における宛先（ファクシミリ番号及び電子メールアドレス等）及び宛先名（会社名及び個人名等）と共に宛先毎の属性情報を宛先詳細情報として記憶している。属性情報には、禁則情報が含まれている。この禁則情報とは、各送信機能に応じた実行不可機能を示す情報である。例えば、ファクシミリ送信の宛先詳細情報には、禁則情報として、カラーデータの送信不可で有るという情報が登録されている。なお、各宛先には、宛先の識別情報としての宛先コードが割り当てられている、すなわち、各宛先詳細情報には、宛先コードが割り当てられている。
【００１５】
各種センサ群２は、例えば用紙切れ検出センサや、用紙詰まり検出センサ、用紙位置検出センサ、温度センサ等の画像形成動作に必要な各種センサであり、それぞれのセンサで検出した各種の情報を検出信号としてＣＰＵ１ａに出力する。
画像読取部３は、ＡＤＦ（自動原稿送り装置）とＣＣＤ(Charge Coupled Device)センサ等を備え、ＡＤＦによって順次給紙される原稿の画像をＣＣＤセンサに読み取らせ、原稿画像に基づく原稿画像データを出力する。なお、画像読取部３は、原稿画像データをＣＰＵ１ａへ出力し、一方、ＣＰＵ１ａは、原稿画像データを画像データ記憶部４に記憶させる。
【００１６】
画像データ記憶部４は、例えばフラッシュメモリまたはハードディスクであり、ＣＰＵ１ａの指示の下、原稿画像データ、通信Ｉ／Ｆ部６がクライアントコンピュータ（図示略）から受信するプリント画像データ及び通信Ｉ／Ｆ部６が公衆網（図示略）から受信するファクシミリ画像データを記憶する。
【００１７】
用紙搬送／画像形成部５は、プリントエンジン（給紙ローラ、給紙ローラ駆動用のモータ、感光ドラム、帯電器、現像装置、定着ローラ、排紙ローラ及び搬送ローラ駆動用のモータ等を含む物理的な画像形成工程を実行する機構）を備え、ＣＰＵ１ａの制御の下、用紙トレイ（図示略）から搬送ローラによって印刷用紙を感光ドラムへ搬送し、画像データ記憶部４の原稿画像データ、プリント画像データ及びファクシミリ画像データに基づいて感光ドラム上に形成したトナーから成る画像形成画像を印刷用紙へ転写し、定着ローラによって当該画像形成画像を印刷用紙へ定着させ、排紙ローラによって定着処理後の印刷用紙を排紙トレイ（図洲略）へ搬送する。
通信Ｉ／Ｆ部６は、外部のクライアントコンピュータ及び公衆網に接続し、このクライアントコンピュータ及び公衆網との間で各種信号の送受信を行う。
【００１８】
次に、操作表示部７について図１及び図２を参照して詳細に説明する。図２は、本実施形態に係る複合機Ａの操作表示部７の外観図である。
操作表示部７は、図１及び図２に示すように、タッチパネル７ａ、ハードキー群７ｂ、操作表示ＣＰＵ７ｃ、操作表示ＲＯＭ７ｄ、操作表示ＲＡＭ７ｅ及び宛先簡略情報記憶部７ｆを備えている。
【００１９】
タッチパネル７ａは、押下箇所の座標の検出方式としてアナログ抵抗膜方式を採用したタッチパネルであり、押下箇所のＸ座標、Ｙ座標を示す押下座標信号を操作表示ＣＰＵ７ｃへ出力する。また、タッチパネル７ａは、操作表示ＣＰＵ７ｃの制御によって所定の画面を表示する。
ハードキー群７ｂは、コピー機能切替キー、プリント機能切替キー、スキャン機能切替キー、ファクシミリ機能切替キー、文書ボックスキー、スタートキー、ストップ／クリアキー、電源キー及びテンキー（数値入力キー）等の各種ハードキーから構成されており、各々の操作入力に応じた操作検出信号を操作表示ＣＰＵ７ｃへ出力する。
【００２０】
操作表示ＣＰＵ７ｃは、タッチパネル７ａから入力される座標検出信号、ハードキー群７ｂから入力される操作検出信号及びＣＰＵ１ａの制御指示に基づいて、タッチパネル７ａの画面の表示等の操作表示部７の全体の動作を制御する。そして、操作表示ＣＰＵ７ｃは、操作表示ＲＯＭ７ｄが記憶する操作表示制御プログラムを実行することによって、図１に示す操作表示制御処理部７ｃ‐１を実現する。なお、操作表示制御プログラムには、タッチパネル７ａに表示する画面を形成するＧＵＩプログラム、ＧＵＩプログラムへＡＰＩ（Application Program Interface）を提供するブラウザプログラム、ＣＰＵ１ａと操作表示ＣＰＵ７ｃとの間の通信インタフェース機能をＧＵＩプログラム及びブラウザプログラムへ提供するミドルウェアプログラム等から構成されている。そして、上記操作表示制御処理部７ｃ‐１の処理の詳細については、以下に複合機Ａの動作として説明する。
【００２１】
操作表示ＲＯＭ７ｄは、操作表示ＣＰＵ７ｃによって実行される操作表示制御プログラム及びその他のデータを記憶する不揮発性メモリである。
操作表示ＲＡＭ７ｅは、操作表示ＣＰＵ７ｃが操作表示制御プログラムを実行して各種動作を行う際に、データの一時保存先となるワーキングエリアとして用いられる揮発性メモリである。
【００２２】
宛先簡略情報記憶部７ｅは、例えばフラッシュメモリであり、複合機Ａの送信機能（ファクシミリ送信機能、インターネットファクシミリ送信機能、電子メール送信機能、ＦＴＰ送信及びＳＭＢ送信）のワンタッチ送信先設定ボタンに応じた宛先の宛先コードを宛先簡略情報として記憶している。なお、宛先コードとは、各宛先に割り当てられた識別番号である。
【００２３】
次に、上記構成の本実施形態に係る複合機Ａの動作について、図３及び図４を参照して詳しく説明する。図３及び図４は、本実施形態に係る複合機ＡのＣＰＵ１ａと操作表示制御処理部７ｃ‐１との動作を示すシーケンス図である。
まず、送信機能の１つであるファクシミリ送信を複合機Ａによって実行しようとするユーザは、操作表示部７のハードキー群７ｂまたはタッチパネル７ａが表示する操作ボタンを操作することによって、送信先設定基本画面をタッチパネル７ａに表示させる。そして、ユーザは、送信先を設定する為にタッチパネル７ａが表示する送信先設定基本画面のワンタッチ送信先設定ボタンを押下する。
【００２４】
図５は、本実施形態に係る複合機Ａの送信先設定基本画面を示す図である。送信先設定基本画面には、図５に示すように、ワンタッチ送信先設定ボタン及び送信先表示領域が設けられている。ワンタッチ送信先設定ボタンは、予め登録されている宛先をワンタッチ操作によって送信先として設定する為のボタンであり、ボタンに宛先名（会社名及び個人名等）及び宛先コードが表示されている。そして、送信先設定基本画面には、タッチパネル７ａの表示を表示しきれないワンタッチ送信先設定ボタンへ切り替えるワンタッチボタン切替ボタンが設けられている。
【００２５】
また、送信先表示領域には、ワンタッチ送信先設定ボタンの押下によって送信先として設定された宛先と、宛先名とが表示されている。さらに、操作先として設定された宛先への各種操作を行う為の操作ボタンと、送信先件数及び各種メッセージを表示するメッセージ表示領域が設けられている。なお、宛先コード「００１」を表示するワンタッチ送信先設定ボタン上のアイコンは、ＦＴＰ送信の宛先が登録されていることを示し、宛先コード「００２」を表示するワンタッチ送信先設定ボタン上のアイコンは、ファクシミリ送信の宛先が登録されていることを示す。また、宛先コード「００３」を表示するワンタッチ送信先設定ボタン上のアイコンは、電子メール送信の宛先が登録されていることを示す。
【００２６】
操作表示制御処理部７ｃ‐１は、タッチパネル７ａが表示する宛先コード「００２」のワンタッチ送信先設定ボタンの押下による座標検出信号を受信すると、宛先コード「００２」のワンタッチ送信先設定指示を受け付けたと判断する（ステップＳ１）。そして、操作表示制御処理部７ｃ‐１は、ステップＳ１後に、ワンタッチ送信先設定ボタン及びワンタッチボタン切替ボタン以外のハードキー群７ｂ及び操作ボタンを操作無効状態にし（ステップＳ２）、宛先簡略情報に基づいて押下されたワンタッチ送信先設定ボタンに応じて宛先コード「００２」の宛先詳細情報取得要求をＣＰＵ１ａへ送信する（ステップＳ３）。
【００２７】
ＣＰＵ１ａは、操作表示制御処理部７ｃ‐１から宛先コード「００２」の宛先詳細情報取得要求を受信すると、宛先コード「００２」の宛先詳細情報が宛先詳細情報記憶部１ｄに存在しているか検索し、当該宛先コードの宛先詳細情報が存在すると、宛先コード「００２」の宛先詳細情報が有する宛先名及び宛先を情報として含む宛先詳細情報有り通知を操作表示制御処理部７ｃ‐１へ送信する（ステップＳ４）。
【００２８】
操作表示制御処理部７ｃ‐１は、ＣＰＵ１ａから宛先コード「００２」の宛先詳細情報有り通知を受信すると、宛先詳細情報有り通知に含まれる宛先コード「００２」の宛先名と宛先をタッチパネル７ａの送信先表示領域に表示させる（ステップＳ５）。なお、操作表示制御処理部７ｃ‐１が、宛先詳細情報取得要求を送信してから、宛先詳細情報有り通知を受信するまで約０．００３秒程かかる。
【００２９】
そして、操作表示制御処理部７ｃ‐１は、タッチパネル７ａが表示する宛先コード「００４」のワンタッチ送信先設定ボタンの押下による座標検出信号を受信すると、宛先コード「００４」のワンタッチ送信先設定指示を受け付けたと判断する（ステップＳ６）。そして、操作表示制御処理部７ｃ‐１は、ステップＳ６の後に、ワンタッチ送信先設定ボタン及びワンタッチボタン切替ボタン以外のハードキー群７ｂ及び操作ボタンを操作無効状態にし（ステップＳ７）、宛先簡略情報に基づいて押下されたワンタッチ送信先設定ボタンに応じて宛先コード「００４」の宛先詳細情報取得要求をＣＰＵ１ａへ送信する（ステップＳ８）。
【００３０】
ＣＰＵ１ａは、操作表示制御処理部７ｃ‐１から宛先コード「００４」の宛先詳細情報取得要求を受信すると、宛先コード「００４」の宛先詳細情報が宛先詳細情報記憶部１ｄに存在しているか検索し、当該宛先コードの宛先詳細情報が存在すると、宛先コード「００４」の宛先詳細情報が有する宛先名及び宛先を情報として含む宛先詳細情報有り通知を操作表示制御処理部７ｃ‐１へ送信する（ステップＳ９）。
【００３１】
操作表示制御処理部７ｃ‐１は、ＣＰＵ１ａから宛先コード「００４」の宛先詳細情報有り通知を受信すると、宛先詳細情報有り通知に含まれる宛先コード「００４」の宛先名と宛先をタッチパネル７ａの送信先表示領域に表示させる（ステップＳ１０）。
【００３２】
そして、ＣＰＵ１ａは、宛先コード「００２」の宛先名及び宛先を含む宛先詳細情報を操作表示制御処理部７ｃ‐１へ順次送信し（ステップＳ１１）、宛先コード「００２」の宛先詳細情報の全てを送信すると、宛先コード「００２」の宛先詳細情報送信完了通知を操作表示制御処理部７ｃ‐１へ送信する（ステップＳ１２）。
操作表示制御処理部７ｃ‐１は、上記ステップＳ１１において、宛先コード「００２」の宛先名及び宛先を含む宛先詳細情報をＣＰＵ１ａから受信すると、宛先コード「００２」の宛先詳細情報を操作表示ＲＯＭ７ｄに記憶させる（ステップＳ１３）。
【００３３】
さらに、ＣＰＵ１ａは、ステップＳ１２の後に、宛先コード「００４」の宛先名及び宛先を含む宛先詳細情報を操作表示制御処理部７ｃ‐１へ順次送信し（ステップＳ１４）、宛先コード「００４」の宛先詳細情報の全てを送信すると、宛先コード「００４」の宛先詳細情報送信完了通知を操作表示制御処理部７ｃ‐１へ送信する（ステップＳ１５）。
操作表示制御処理部７ｃ‐１は、上記ステップＳ１４において、宛先コード「００４」の宛先名及び宛先を含む宛先詳細情報をＣＰＵ１ａから受信すると、宛先コード「００４」の宛先詳細情報を操作表示ＲＯＭ７ｄに記憶させる（ステップＳ１６）。
【００３４】
そして、操作表示制御処理部７ｃ‐１は、宛先コード「００４」のワンタッチ送信先設定ボタンの押下による座標検出信号を受信する 、すなわち宛先コード「００４」のワンタッチ送信先設定指示を受け付けてから所定の時間（０．４秒）が経過すると、宛先コード「００２」及び宛先コード「００４」の宛先詳細情報に基づいて送信先設定基本画面を更新すると共にハードキー群７ｂ及び全ての操作ボタンの押下によって操作表示部７が受け付ける全ての操作指示を有効にする（ステップＳ１７）。
【００３５】
具体的には、操作表示制御処理部７ｃ‐１は、上記ステップＳ１７において、メッセージ表示領域のメッセージと共に送信先件数を更新し、宛先コード「００２」及び「００４」の宛先詳細情報に含まれる宛先名及び宛先に基づいて送信先表示領域を更新し、さらに宛先コード「００４」の宛先詳細情報の属性情報に含まれる禁則情報に基づいて、実行不可である操作ボタンをグレイアウトする。例えば、電子メール送信のワンタッチ送信先設定ボタンが押下された場合には、宛先詳細情報の禁則情報に基づいて操作ボタンの「Ｔｅｌ  Ｎｏｗ」ボタンをグレイアウトする。この「Ｔｅｌ  Ｎｏｗ」ボタンは、ファクシミリ送信において、電話網の回線の確立を確認する機能を起動する為に押下されるボタンである。
【００３６】
なお、操作表示制御処理部７ｃ‐１がステップＳ１７において宛先コード「００４」の宛先詳細情報の属性情報に含まれる禁則情報に基づいて、送信先設定基本画面を更新する理由は、最後に宛先コード「００４」のワンタッチ送信先設定ボタンが押下された為に、送信先表示領域に表示された宛先コード「００４」の宛先名及び宛先にフォーカスが当たっており、フォーカスが当たっている宛先の宛先詳細情報の属性情報に含まれる禁則情報を送信先設定基本画面に反映する為である。
【００３７】
また、操作表示制御処理部７ｃ‐１は、上記ステップＳ１７おいて、ワンタッチ送信先設定ボタンが２回目に押下されてから所定の時間（０．４秒）が経過すると、画面を更新すると共に操作有効状態にしたが、ワンタッチ送信先設定ボタンが３回押下された場合には、ワンタッチ送信先設定ボタンが３回目に押下されてから所定の時間（０．４秒）が経過すると、画面を更新すると共に操作有効状態にする。すなわち、操作表示制御処理部７ｃ‐１は、連続してワンタッチ送信先設定ボタンが押下された場合に、最後にワンタッチ送信先設定ボタンが押下されてから所定の時間（０．４秒）が経過すると、画面を更新すると共に操作有効状態にする。
【００３８】
具体的に、操作表示制御処理部７ｃ‐１は、各ワンタッチ送信先設定ボタンが押下される度に、各ワンタッチ送信先設定ボタン毎の経過時間計時タイマを起動する。操作表示制御処理部７ｃ‐１は、この経過時間計時タイマによって所定の時間（０．４秒）を計時し、経過時間計時タイマがタイムアウトすると、各ワンタッチ送信先設定ボタンの押下から所定の時間（０．４秒）が経過したことを認識する。そして、操作表示制御処理部７ｃ‐１は、押下の間隔が所定の時間（０．４秒）以内のワンタッチ送信先設定ボタンの連続押下があった場合に、最後にワンタッチ送信先設定ボタンが押下されることによって起動した経過時間計時タイマがタイムアウトすると、上記ステップＳ１７を実行する。
【００３９】
以上のように、本実施形態に係る複合機Ａでは、操作表示制御処理部７ｃ‐１が、ワンタッチ送信先設定指示を受け付けたと判断すると、ワンタッチ送信先設定ボタン及びワンタッチボタン切替ボタン以外のハードキー群７ｂ及び操作ボタンを操作無効状態し、宛先詳細情報取得要求をＣＰＵ１へ送信する。そして、操作表示制御処理部７ｃ‐１は、ＣＰＵ１ａから宛先詳細情報有り通知を受信すると、宛先詳細情報有り通知に含まれる宛先名と宛先をタッチパネル７ａに表示させ、その後に、ＣＰＵ１から受信する宛先詳細情報に含まれる宛先名及び宛先以外の残りの情報を操作表示ＲＯＭ７ｄに記憶させ、ワンタッチ送信先設定指示をうけつけてから所定の時間（０．４秒）が経過すると、操作表示ＲＯＭ７ｄに記憶させた宛先詳細情報に基づいて送信先設定基本画面を更新すると共にハードキー群７ｂ及び全ての操作ボタンの押下によって操作表示部７が受け付ける全ての操作指示を有効にする。
従来のものでは、宛先詳細情報完了通知を受信し、画面の更新が完了するまで、次のワンタッチ送信先設定ボタンの押下を有効にしなかったが、本実施形態に係る複合機Ａでは、ワンタッチ送信先設定ボタンが押下されても、すぐに次のワンタッチ送信先設定ボタンの押下を許可することによって、ユーザはすぐに次の宛先を送信先に設定することが出来る為、送信先の設定の操作性に感じる不快感を軽減することが出来る。
【００４０】
以上、本発明の一実施形態について説明したが、本発明は上記実施形態に限定されることなく、例えば以下のような変形が考えられる。
（１）上記実施形態に係る複合機Ａの動作の一例として、ファクシミリ送信における送信先の設定の動作を例示して説明したが、複合機Ａに搭載されるインターネットファクシミリ送信機能、電子メール送信機能、ＦＴＰ送信及びＳＭＢ送信等のあらゆる送信機機能における送信先の設定の動作に、上述した動作を適用することが出来る。
【図面の簡単な説明】
【００４１】
【図１】本発明の一実施形態に係る複合機Ａの機能ブロック図である。
【図２】本発明の一実施形態に係る複合機Ａの操作表示部７の外観図である。
【図３】本発明の一実施形態に係る複合機ＡのＣＰＵ１ａと操作表示制御処理部７ｃ‐１との動作を示すシーケンス図である。
【図４】本発明の一実施形態に係る複合機ＡのＣＰＵ１ａと操作表示制御処理部７ｃ‐１との動作を示すシーケンス図（図３の続き）である。
【図５】本発明の一実施形態に係る複合機Ａの複合機Ａの送信先設定基本画面を示す図である。
【符号の説明】
【００４２】
Ａ…複合機、１…コントローラ、１ａ…ＣＰＵ、１ｂ…ＲＯＭ、１ｃ…ＲＡＭ、１ｄ…宛先詳細情報記憶部、２…各種センサ群、３…画像読取部、４…画像データ記憶部、５…用紙搬送／画像形成部、６…通信Ｉ／Ｆ部、７…操作表示部、７ａ…タッチパネル、７ｂ…ハードキー群、７ｃ…操作表示ＣＰＵ、７ｃ‐１…操作表示制御処理部、７ｄ…操作表示ＲＯＭ、７ｅ…操作表示ＲＡＭ、７ｆ…宛先簡略情報記憶部
【図１】
2010147669.tif 000003
【図２】
2010147669.tif 000004
【図３】
2010147669.tif 000005
【図４】
2010147669.tif 000006
【図５】
2010147669.tif 000007